(57)【要約】【課題】遠赤外線放射物質から放射する放射光を効率良く対象物質に照射する。【解決手段】本発明は、波長４μｍ〜１４μｍの遠赤外線の平均透過率が６０％以上である物質で構成されたカプセル容器内に遠赤外線放射物質を内蔵し、密封したことを特徴とする遠赤外線放射物質内蔵カプセルである。前記カプセル容器内には遠赤外線放射物質を含む内容物質のない空間が存在し、前記カプセル容器の内容積に占める前記空間の割合を変化させることによって、カプセルの比重を調整し、さらに、前記カプセルの複数個を液体に入れる場合において、前記カプセルの一部または全部はその比重が前記液体の比重から５％の範囲内にあり、カプセル容器内の空間は、窒素、酸素、二酸化炭素、および希ガスの少なくとも１種類の気体を含み、前記カプセル容器は、アクリル等のプラスチックで構成される。【選択図】図１
2016121328.tif 000002
【特許請求の範囲】
【請求項１】
カプセル容器内に遠赤外線放射物質を内蔵し、密封したことを特徴とする遠赤外線放射物質内蔵カプセル。
【請求項２】
前記カプセル容器の物質は、波長４μｍ〜１４μｍの遠赤外線の平均透過率が６０％以上であることを特徴とする、請求項１に記載の遠赤外線放射物質内蔵カプセル。
【請求項３】
前記カプセル容器内には遠赤外線放射物質を含む内容物質のない空間が存在し、前記カプセル容器の内容積に占める前記空間の割合を変化させることによって、カプセルの比重を調整したことを特徴とする、請求項１または２に記載の遠赤外線放射物質内蔵カプセル。
【請求項４】
前記カプセルの複数個を液体に入れる場合において、前記複数のカプセルの一部または全部はその比重が前記液体の比重から５％の範囲内にあることを特徴とする、請求項３に記載の遠赤外線放射物質内蔵カプセル。
【請求項５】
前記カプセル容器内の空間は、窒素、酸素、二酸化炭素、および希ガスの少なくとも１種類の気体を含むことを特徴とする、請求項３または４に記載の遠赤外線放射物質内蔵カプセル。
【請求項６】
前記カプセル容器内の空間の圧力は1気圧より小さいことを特徴とする、請求項３〜５のいずれか１項に記載の遠赤外線放射物質内蔵カプセル。
【請求項７】
前記カプセル容器内の空間の圧力は１気圧より大きいことを特徴とする、請求項３〜５のいずれか１項に記載の遠赤外線放射物質内蔵カプセル。
【請求項８】
前記カプセル容器は、プラスチックで構成されていることを特徴とする、請求項１〜７のいずれか１項に記載の遠赤外線放射物質内蔵カプセル。
【請求項９】
前記プラスチックは、アクリル、ポリ塩化ビニール、またはポリエステルであることを特徴とする、請求項８に記載の遠赤外線放射物質内蔵カプセル。
【請求項１０】
前記カプセル容器の直径を飲料水用のペットボトルの飲み口の内径以下にして、かつ前記カプセル容器の外側に窪みを付けたことを特徴とするカプセルであって、飲料水用のペットボトル内に入れて使用することを特徴とする、請求項１〜９のいずれか１項に記載の遠赤外線放射物質内蔵カプセル。
【請求項１１】
請求項１〜１０のいずれか１項に記載の遠赤外線放射物質内蔵カプセルを液体に入れて、液体を浄化することを特徴とする、液体浄化方法。
【請求項１２】
前記遠赤外線放射物質はマイナスイオン効果も有する物質であることを特徴とする、請求項１１に記載の健康増進方法。
【請求項１３】
比重が１より小さい物質と遠赤外線放射物質を一体化させて、水面上に浮かせるようにしたことを特徴とするお風呂用品。
【請求項１４】
前記比重が１より小さい物質は、発泡スチロールまたは浮き輪であることを特徴とする、請求項１３に記載のお風呂用品。
【請求項１５】
さらに、造花を付けたことを特徴とする、請求項１３または１４に記載のお風呂用品。
【請求項１６】
便秘軽減、痙攣防止、痙攣痛、筋肉痛、関節痛、または腰痛の軽減または解消を目的として、当該患部に当てて使用することを特徴とする、遠赤外線放射物質含有シート。
【請求項１７】
肌に接触する側の前記シート面に布またはプラスチックフィルムを付着させて、前記遠赤外線物質が直接に肌に接触しないようにし、湿疹を軽減または防止したことを特徴とする、請求項１６に記載の遠赤外線放射物質含有シート。
【請求項１８】
前記シートに複数の孔を設けて、湿疹を軽減または防止したことを特徴とする、請求項１６または１７に記載の遠赤外線放射物質含有シート。
【請求項１９】
身体の一部の形状に適合した形状にして、保温効果を持たせたことを特徴とする、請求項１６〜１８のいずれか１項に記載の遠赤外線放射物質含有シート。
【請求項２０】
シート厚みを３ｍｍ以上にし、熱容量を大きくしたことを特徴とする、請求項１８または１９に記載の遠赤外線放射物質含有シート。
【請求項２１】
顔の形状に合わせたことを特徴とする、請求項１９または２０に記載の遠赤外線放射物質含有シート。
【請求項２２】
請求項１６〜２０のいずれかの項に記載の遠赤外線放射物質含有シートを身体背面の腰部分および身体前面の腹部の少なくとも２箇所の患部に同時に当てることが可能な腹腰巻き用ベルト。
【請求項２３】
粉末状の遠赤外線放射物質と壁材を混合したことを特徴とする、遠赤外線放射物質含有建築用壁材料。
【請求項２４】
前記壁材は漆喰であることを特徴とする、請求項２３に記載の遠赤外線放射物質含有建築用壁材料。
【請求項２５】
バインダーおよび遠赤外線放射物質の混合物を入れて水の浄化を行なう水処理装置であって、ポンプを用いて空気を水に送り水を循環させることによって、前記混合物に汚れが付着しないようにしたことを特徴とする水処理装置。
【請求項２６】
前記バインダーはシリコーン樹脂であることを特徴とする、請求項２５に記載の水処理装置。
【発明の詳細な説明】
【技術分野】
【０００１】
本発明は、遠赤外線放射物質からの放射光を水や人体、建造物等へ有効に作用させるための用途、手段、方法等に関する。
【背景技術】
【０００２】
遠赤外線は波長が４μｍ〜１０００μｍの範囲にある電磁波であり、加熱調理の分野、遠赤外線ヒータ、遠赤外線サウナ、暖房などで実用化されている。遠赤外線の中で波長が４μｍ〜１４μｍの電磁波は生物の成長にとって特に重要な事から育成光線と言われており、近年注目され、その利用方法や用途が種々検討されている。また、育成光線を発射する物質が自然石の中から幾つかが発見され、実用になっている。このような岩石は性能が一定ではなく、重い岩石を運搬しなければならなかったり、粉砕しなければならなかったりする欠点がある。一方、性能が安定し、低コストの育成光線放射物質を人工的に製造する技術も開発されている。（特許文献１）さらに、近年遠赤外線、特に育成光線は、水質改善や健康増進に注目されてきている。
【先行技術文献】
【特許文献】
【０００３】
【特許文献１】特公平０６−２７２０２
【発明の概要】
【発明が解決しようとする課題】
【０００４】
水質を改善するために水に直接遠赤外線放射物質を入れた場合、遠赤外線放射物質は水より比重が大きいため水の底に沈むので、水の表面や水中の浄化は余り行なわれないという問題がある。この対策として水を攪拌して遠赤外線放射物質を水中に分散することが考えられるが、特別の攪拌装置が必要となる。この攪拌中に遠赤外線放射物質が欠けたりして損傷するという問題もある。遠赤外線放射物質が欠けて細かくなった場合や粉末状の遠赤外線放射物質を用いる場合、遠赤外線放射物質を水から分離除去することが困難となる。また、遠赤外線放射物質を水へ作用させて飲料水として利用する場合、遠赤外線放射物質が水に直接接触することを好まない人も多い。さらに、遠赤外線放射物質の一部や不純物が飲料水へ溶解する危険性もあり、衛生上問題が発生する危険性もある。
【課題を解決するための手段】
【０００５】
本発明の目的は、上記課題を解決し、遠赤外線放射物質から放射する放射光を効率よく対象物質に照射し、取り扱いを容易にする方法を提供するものである。本発明において、遠赤外線放射物質とは、育成光線（波長４μｍ〜１４μｍの電磁波）領域において、平均放射率が６０％以上である物質を言う。本発明は、上記課題を解決するために以下の特徴を有する。
（１）本発明は、カプセル容器内に遠赤外線放射物質を内蔵し、密封した遠赤外線放射物質内蔵カプセルであり、前記カプセル容器の物質は、波長４μｍ〜１４μｍの遠赤外線の平均透過率が６０％以上であることを特徴とする。
（２）本発明は、（１）に加えて、前記カプセル容器内には遠赤外線放射物質を含む内容物質のない空間が存在し、前記カプセル容器の内容積に占める前記空間の割合を変化させることによって、カプセルの比重を調整したことを特徴とし、さらに、前記カプセルの複数個を液体に入れる場合において、前記複数のカプセルの一部または全部はその比重が前記液体の比重から５％の範囲内にあることを特徴とする。
【０００６】
（３）本発明は、（１）、（２）に加えて、前記カプセル容器内の空間は、窒素、酸素、二酸化炭素、および希ガスの少なくとも１種類の気体を含み、および／または前記カプセル容器内の空間の圧力は１気圧より小さいか、あるいは１気圧より大きいことを特徴とする。
（４）本発明は、（１）〜（３）に加えて、前記カプセル容器は、プラスチックで構成され、前記プラスチックは、アクリル、ポリ塩化ビニール、またはポリエステルであることを特徴とし、また、前記カプセル容器の直径を飲料水用のペットボトルの飲み口の内径以下にし、かつ前記カプセル容器の外側に窪みを付けて、飲料水用のペットボトル内に入れて使用することを特徴とし、さらに、遠赤外線放射物質内蔵カプセルを水や液体に入れて、水や液体を浄化することを特徴とし、あるいは、遠赤外線放射物質内蔵カプセルを風呂水に入れて、身体の健康を増進するとともに、風呂場のカビなど汚れを防止することを特徴とする。
【０００７】
（５）本発明は、発泡スチロールまたは浮き輪等の比重が１より小さい物質と遠赤外線放射物質を一体化させて、水面上に浮かせるようにしたことを特徴とするお風呂用品であり、さらに造花を付設したことを特徴とする。
（６）本発明は、痙攣防止、痙攣痛、筋肉痛、関節痛、または腰痛の軽減または解消を目的として、当該患部に当てて使用することを特徴とする、遠赤外線放射物質含有シートであり、肌に接触する側の前記シート面に布またはプラスチックフィルムを付着させて、前記遠赤外線物質が直接に肌に接触しないようにし、湿疹を軽減または防止したことを特徴とし、および／または前記シートに複数の孔を設けて、湿疹を軽減または防止したことを特徴とする。
（７）本発明は、（６）に加えて、顔等の身体の一部の形状に適合した形状にして、保温効果を持たせて、さらに、厚みを３ｍｍ以上にし、熱容量を大きくしたことを特徴とする。
（８）本発明は、粉末状の遠赤外線放射物質と漆喰等の壁材を混合したことを特徴とする遠赤外線放射物質含有建築用壁材料である。
（９）本発明は、シリコーン樹脂等のバインダーおよび遠赤外線放射物質の混合物を入れて水の浄化を行なう水処理装置であって、ポンプを用いて空気を水に送り水を循環させることによって、前記混合物に汚れやゴミ等が付着しないようにしたことを特徴とする水処理装置である。
【発明の効果】
【０００８】
本発明は、遠赤外線放射物質を密封したプラスチック等のカプセル容器内に封入し、遠赤外線放射物質が直接水等の液体に接触しないので、遠赤外線放射物質が損傷を受けて欠けたりしないから、水等の液体浄化後に遠赤外線放射物質内蔵カプセルを分離除去することが容易であり、また遠赤外線放射物質等で水等の液体を汚すことがなく、非常に扱いやすい。飲料水の浄化に利用する場合も、遠赤外線放射物質等が飲料水へ溶解することもなく、またカプセル容器がアクリル等のプラスチックであるから水等に溶解する危険性はなく、衛生上の問題発生は小さい。カプセル容器の材質は遠赤外線を透過しやすいので、遠赤外線放射物質からの放射光（遠赤外線）がカプセル容器を通して水等に放射されるので、水等の浄化も十分に行なうことができる。カプセル自体の比重を水等の液体の比重と同程度に調整することが容易であるから、遠赤外線放射物質内蔵カプセルを水等の液体中に浮遊させることが可能となる。この結果、多数のカプセルを入れた水等の液体中に満遍なく均一にカプセルを分散分布することができ、水等の浄化を効率良く行なうことができる。さらに、遠赤外線放射物質を内蔵したカプセルを水等から分離除去することが容易であり、遠赤外線放射物質の変質は殆どなく、カプセルの変質も小さいので、遠赤外線放射物質内蔵カプセルを繰り返し使用することができ、ランニングコストが非常に小さいというメリットもある。
【図面の簡単な説明】
【０００９】
【図１】図１は、本発明の遠赤外線放射物質を入れたカプセルを示す図である。
【図２】図２は、各種プラスチックの遠赤外線領域（育成光線波長領域）における透過率を示すグラフである。
【図３】図３は、水中に入れた本発明のカプセルの状態を示す図である。
【図４】図４は、本発明の遠赤外線放射物質を搭載したお風呂用遠赤外線放射浮体グッズを示す図である。
【図５】図５は、本発明の遠赤外線放射物質を含有したシートおよび顔部マスクを示す図である。
【図６】図６は、各種セラミックスの遠赤外線放射特性を示す図である。
【図７】図７は、本発明の遠赤外線放射物質含有カプセルの別の実施形態を示す図である。
【図８】図８は、本発明の遠赤外線放射物質含有シートを患者に適用した臨床実験による本発明の遠赤外線放射物質含有シートの効果を示す表である。
【図９】図９は、本発明の遠赤外線放射物質含有シートを装着した患者の患部の皮膚表面温度と湿布時間との関係を示すグラフである。
【発明を実施するための形態】
【００１０】
図１は、本発明の遠赤外線放射物質を入れたカプセル１１を示す図である。カプセル容器（壁）１２の中に遠赤外線放射物質を含む内容物質１３が入っている。内容物質１３中の遠赤外線物質は、遠赤外線の平均放射率が６０％以上の物質であり、たとえば、酸化ケイ素、酸化亜鉛、酸化アルミニウム、酸化マグネシウム等のセラミックス、天然および人工の鉱物、金属および半金属および半導体の酸化物、窒化物、炭化物、硫化物、水酸化物等、炭酸塩などの塩やそれらの複合物（複塩）、炭などのほか、貝殻などの天然素材などであり、これら無機物だけでなく、有機物でも遠赤外線の平均放射率が６０％以上の物質であれば良い。
このように、本発明において遠赤外線放射物質とは電磁波の波長が４μｍ〜１４μｍにおける遠赤外線（育成光線とも言う）の平均放射率が６０％以上の物質を言う。ここで放射率とは、対象物質と理想黒体とを同一温度にして、それぞれから放射される遠赤外線量を測定した理想黒体比｛理想黒体の放射強度を１００％とした場合の対象物質の放射強度の割合（％）｝である。また平均放射率とは、電磁波の波長域における平均の放射率である。図６は、各種セラミックスの遠赤外線放射特性を示す図である。育成光線波長領域（４μｍ〜１４μｍ）の一部において放射率が６０％以下のセラミックスもあるが、ここに示すセラミックスはどれも、育成光線波長領域（４μｍ〜１４μｍ）において平均放射率が６０％以上であるから、本発明の遠赤外線放射物質に含まれる。尚、本発明の遠赤外線放射物質として、平均放射率が高いほど良く、好適には平均放射率が８０％以上、もっと好適には平均放射率は９０％以上が望ましい。
【００１１】
また、遠赤外線放射物質の形態は、カプセル容器１２に入る形状や大きさ（サイズ）であれば良く、たとえば、粒子、粉末、塊状である。ただし、遠赤外線放射物質のサイズは小さい方が、体積あたりの表面積が大きく、従って遠赤外線放射物質からの遠赤外線の放射量が多く、またカプセル内に（多量に）封入しやすいので、粒子状または粉末状のものが望ましい。塊状物質の場合でも多孔性物質の方が表面積大で望ましい。遠赤外線放射物質のサイズは小さくてもカプセル内に入っていて、カプセル容器は密封されているので、遠赤外線放射物質がカプセル外に出て問題を起こすことはない。
遠赤外線放射物質以外の内容物質として、遠赤外線放射物質を固着させたりするバインダー（結合剤）、遠赤外線放射物質を被覆するコーティング剤、遠赤外線放射物質を安定化する安定化剤などがある。本発明では、必要がなければ、遠赤外線放射物質以外の内容物質を含まなくても良い。内容物質の中の遠赤外線放射物質の割合が大きいほど遠赤外線の放射量が大きい。
【００１２】
本発明の遠赤外線放射物質を内蔵したカプセル１１は、遠赤外線放射物質から放射される遠赤外線をカプセル容器の外側に放射させる。従って、カプセル容器１２の材質は遠赤外線（特に、波長が４μｍ〜１４μｍの育成光線波長領域）を透過しやすい材料が良く、遠赤外線（特に、波長が４μｍ〜１４μｍの育成光線波長領域）の透過率は６０％以上が望ましい。たとえば、アクリル、ポリ塩化ビニール、ポリエステル等のプラスチック、シリコン（Ｓｉ）、ゲルマニウム、フッ化カルシウム、フッ化バリウム、セレン化亜鉛、硫化亜鉛、サファイア、カルコゲナイドガラス等である。図２は、各種プラスチックの遠赤外線領域（育成光線波長領域）における透過率を示すグラフである。図２（ａ）はアクリル樹脂、図２（ｂ）はポリ塩化ビニール樹脂、図２（ｃ）はポリエステル樹脂の遠赤外線領域における透過率である。これらの３種のプラスチックは、透過率の低い波長帯もあるが、４μｍ〜１４μｍの遠赤外線領域（育成光線波長領域）において、平均透過率は６０％以上であり、本発明の遠赤外線放射物質を内蔵したカプセルの容器として使用できる。これらの樹脂は可視光領域でも透過率が高いので、肉眼でも内蔵する遠赤外線放射物質の状態を確認できるので、さらに好適である。
【００１３】
次に本発明の遠赤外線放射物質を内蔵したカプセルの使用方法について説明する。
有機物質等で汚れた水また液体（水等）に遠赤外線放射物質を入れて、遠赤外線放射物質から放射される遠赤外線によって汚れた水の浄化を行なうことができるが、遠赤外線放射物質は一般に水より比重が重いので、遠赤外線放射物質をそのまま水へ入れると、底へ沈んでしまう。従って、底の水は浄化されるが、水の表面や中間部分の水の浄化は難しい。これを改善するために水を攪拌することも考えられるが、特別の攪拌装置が必要になるし、攪拌しても水全体に均一に分布するかどうかが不明である。また、遠赤外線放射物質が欠けたりして細かい粉末になると、水から遠赤外線放射物質を除去したり分離することが困難である。遠赤外線放射物質を水へ作用させて飲料水とする場合は、粉状の遠赤外線放射材料をシリコーンなどのバインダーと混ぜ、また増量剤を加えて直接水に入れる事になる。その場合は、遠赤外線放射物質が直接水に接触するため、人によっては嫌う場合が多い。また、遠赤外線放射物質が水と反応したり溶解したりすることもあるので、さらに遠赤外線放射物質を水から分離除去することが難しくなる。
【００１４】
そこで、本発明の遠赤外線放射物質を内蔵したカプセルを用いて上記問題点を解決できる。図３は、水中に入れた本発明の遠赤外線放射物質内蔵カプセルの状態を示す図である。図３において、浄化漕等の容器２１に浄化したい水や液体２４を入れて、遠赤外線放射物質を内蔵した種々の比重を有するカプセル２３を多数量入れる。この場合の浄化層は人糞の貯蔵層等も含む。また、沼地の汚泥層除去も可能な事から，沼や河川、海なども含む。遠赤外線放射物質を内蔵したカプセル２３の内、水等の比重より小さい比重のカプセル２３−１は水等の表面に浮き、水等の比重と同程度のカプセル２３−２は水中に浮遊し、水等の比重より重いカプセル２３−３は底へ沈む。このように本発明の遠赤外線放射物質を内蔵したカプセルは浄化層等の容器２１に入れた水等の中に満遍なく均一に分布することができ、効率的に遠赤外線を水に作用させることができる。必要があれば時々攪拌すれば良く、攪拌装置を用いる場合でもわずかな力の攪拌で水等の中に満遍なく均一に分散することができるので、簡便で小型の攪拌装置で十分である。従って、低価格の攪拌装置で済むのでコストアップは小さい。
【００１５】
また、カプセル容器の材質もアクリル等であるから、カプセル２３のサイズも一定レベルにそろえることができ、カプセル容器材料や内容物質の水等への溶出もないので、水等とカプセルの分離・除去も容易である。さらに、カプセル容器の材質は水等と反応しないアクリル等であるから、回収したカプセルを繰り返し使用することができるので、ランニングコストも極めて安くなる。飲料水として利用する場合も、アクリル等のカプセル容器を用いれば、清潔感を保持することができ、得体の知れない遠赤外放射物質が直接水に接触しないため気持ちよくその水を飲料として利用する事ができる。さらに、カプセル容器表面に水垢やゴミ等が付着しても、カプセル容器表面を別の容器で簡単に洗浄することができる。
【００１６】
次に、種々の比重を有するカプセルの作製方法について、図１をもとにして説明する。図１において、カプセル１１の中に遠赤外線放射物質を含む内容物質１３が入っているが、厳密に言えば、カプセル１１はカプセル容器壁１２、遠赤外線放射物質を含む内容物質１３、内容物質１３以外の空間（すなわち、内容物質の存在しない空間）１４で構成されている。この空間１４は、窒素、酸素、希ガス、二酸化炭素、またはこれらの混合気体が入っているか、あるいは真空に近い（または１気圧未満の）低圧空間である。上記気体（たとえば、酸素）と遠赤外線放射物質を含む内容物質１３が反応して性質が変化する場合は、空間１４は、反応しない気体（たとえば、希ガス等の不活性ガス）か、気体を含まず真空に近い低圧空間とするのが良い。空間１４に上記の気体が入っている場合は、空間１４の圧力を1気圧以上にすることもでき、カプセルが水中に浮遊するときに水圧によるカプセル容器壁１２が変形することを防止できる。
図７は、本発明の遠赤外線放射物質含有カプセルの別の実施形態を示す図である。図7に示すカプセル５１は、直径がｍ、長さがｎの円柱形状であり、上面および底面側が半球状の曲面になっている。図７（ａ）は円柱形状のカプセルの側面図で、図７（ｂ）はカプセル中央部Ａ１−Ａ２断面図である。図７（ｂ）に示すように、カプセル容器５１の外側に窪みや溝５２が縦方向（上面側から底面側方向）に形成されている。このような形状の遠赤外線放射物質含有カプセルは、たとえば飲料水用のペットボトルに入れて使用する。カプセルの直径ｍをペットボトルの直径以下（たとえば、直径１８ｍｍ以下）にして、ペットボトル内に入れてペットボトル内の飲料水の水質改善をする。尚、カプセル容器５１の長さｎは比較的長くする（たとえば、３０ｍｍ〜２００ｍｍ）ことができる。
飲料水を飲むときに、カプセルがペットボトルの入口につかえる場合があっても、カプセル容器の外側に窪みや溝５２が付いているので、水の流れが止まることはなく、窪みや溝５２を通して、ペットボトル内の水をスムーズにペットボトル外に出すことができる。尚、窪みや溝はカプセルの縦方向だけでなく、斜め方向にらせん状や他の形状や方向に形成されても良い。
【００１７】
カプセル１１の（全体）重量をＭｃ、カプセル容器壁１２の重量をＭｗ、遠赤外線放射物質の重量をＭｓ1、遠赤外線放射物質以外の内容物の重量をＭｓ2、容器全体の容積をＶｃ1、容器内容積をＶｃ2、容器壁容積をＶｃ3、遠赤外線放射物質を含む内容物質１３の体積をＶｓ、遠赤外線放射物質の体積をＶｓ1、遠赤外線放射物質以外の体積をＶｓ2、空間１４の容積をＶｘとする。カプセル全体の比重Ｓｃは、Ｓｃ＝Ｍｃ／Ｖｃ1＝（Ｍｗ＋Ｍｓ1＋Ｍｓ2）／（Ｖｃ2＋Ｖｃ3）＝（Ｍｗ＋Ｍｓ1＋Ｍｓ2）／（Ｖｓ＋Ｖｘ＋Ｖｃ3）となる。（ただし、空間１４の重量は小さいので無視した。また、遠赤外線放射物質と遠赤外線放射物質以外の内容物質を混合したときに、重量変化も体積変化もないものとしている。）また、カプセル容器壁１２の比重をＳｃ3、遠赤外線放射物質を含む内容物質１３の比重をＳｓ、遠赤外線放射物質の比重をＳｓ1、遠赤外線放射物質以外の内容物の比重をＳｓ2とすると、Ｓｃ＝（Ｓｃ3Ｖｃ3＋ＳｓＶｓ）／Ｖｃ1＝｛Ｓｃ3Ｖｃ3＋Ｓｓ（Ｖｃ２−Ｖｘ）｝／Ｖｃ1＝｛Ｓｃ3Ｖｃ3＋ＳｓＶｃ２−ＳｓＶｘ）／Ｖｃ1である。従って、内容物質１３以外の空間１４の容積Ｖｘを変化させることによって、カプセル（全体）の比重Ｓｃを変化させることができる。
【００１８】
たとえば、カプセル容器壁１２の材質をアクリル（Ｓｃ3＝1.2）とし、カプセル容器壁１２の容積Ｖｃ3が2ｃｍ３、容器内容積Ｖｃ2が６ｃｍ３、また、遠赤外線放射物質をアルミナ（Ａｌ２Ｏ３）（Ｓｓ1＝４）とし、遠赤外線放射物質以外の物質を含まないとすれば、カプセル（全体）の比重Ｓｃは、Ｓｃ＝3.3−0.5Ｖｘである。従って、空間１４の容積Ｖｘが4.6ｃｍ３より大きければ水の表面に浮き、空間１４の容積Ｖｘを4.6ｃｍ３とすれば水中に浮遊し、空間１４の容積Ｖｘが4.6ｃｍ３未満であれば水底に沈む。これらのカプセル２３（２３−１、２、３）を水等２４に適当数加えれば、浄化層等の容器２１の水等２４内に均一にカプセル２３を分布できる。
【００１９】
尚、水等の液体の比重と同程度とはバラツキも含めれば水等の液体の比重に対し±５％以内とするのが良い。従って、水等の液体の比重より大きな比重とは、水等の液体の比重より＋５％を超える比重であり、水等の液体の比重より小さな比重とは、水等の液体の比重より−５％を超える小さな比重である。また、水等の液体の表面に浮かせる必要もなく、水等の液体の底に沈める必要もなければ、水等の液体の比重と同程度の比重、すなわちカプセルの比重を水等の液体の比重の±５％以内になるようにすれば良い。好適には、もっと範囲を狭めれば水等の液体の中間部分に浮遊させることができ、たとえば、カプセルの比重を水等の液体の比重の±３％以内、もっと好適には±１％以内になるようにすれば良い。従って、カプセルの作製（カプセル容器の作製、内容物質の投入量等）も同じプロセスで済むので、製造方法が簡単である。このようにしても、水等の液体中には遠赤外線放射物質を内蔵したカプセルを均一に分散分布させることができる。また、水等の液体は対流があるので、水等の液体の比重と同程度の比重を有するカプセルは対流水に乗って水中で移動し、より均一に分散分布する。また、カプセルを水等の液体中に浮遊させておけば、カプセルを水等の液体から、網目状等の篩等を用いて分離除去することも容易である。水等の底に沈んでいるカプセルの場合は、水等を容器の上または横から排水すれば分離除去することができる。水等の表面に浮かんでいるカプセルは網等を用いて分離除去することができる。
【００２０】
本発明の遠赤外線放射物質を内蔵したカプセルは、人間が飲み込めるような小さいサイズ（たとえば、５ｍｍ〜２ｃｍの長さで、直径が３ｍｍ〜１ｃｍの円筒形状）にして、そのカプセルを飲み込めば、カプセルに内蔵された遠赤外線放射物質から遠赤外線が放射されてカプセル容器壁を遠赤外線が透過してカプセルの外側にも出て来るので、食道、胃、腸などの消化器系を身体に良い遠赤外線放射物質がカプセルに入った状態で通過し、身体の多くの部分に遠赤外線を照射する事が出来る。アクリルや塩化ビニールは、耐酸性および耐アルカリ性に優れており、また遠赤外線放射物質が直接内蔵に接する事がなく、遠赤外線を安全に身体に作用させる事が出来る。通常は１日で対外に排泄される事になる。このような飲み込み型のカプセルの場合は、比重を考慮する必要がないので、遠赤外線放射物質を多くつめることもできるが、遠赤外線放射物質がカプセル内で動けるようにした方が効率良く遠赤外線が放射できるので、空間１４の割合をカプセル内容積の１０％〜３０％程度とするのが良い。尚、人間が飲み込むタイプのカプセル容器の形状は、上記した円筒（円柱）形状のほかに、図１に示すような卵型形状または楕円体形状、その他、球形、底面部が丸まった円柱形状、直方体形状や立方体形状等の多角柱形状、角部が丸まった多角柱形状等でも良い。また、表面積を大きくして効率よく光を当てるために、カプセルをいがぐり型にすればより効果的である。
【００２１】
本発明の遠赤外線放射物質を内蔵したカプセルは、お風呂にも入れてお風呂の水の汚れも減少させるとともに、放射される遠赤外線を当てた水蒸気により風呂場のカビ防止の役割も果たす。お風呂の場合にもお湯の比重よりも小さな比重（たとえば、水の比重に対して−５％超）を有するカプセルを入れてお風呂に浮かせることもできるし、および／または、お湯の比重と同程度の比重（たとえば、水の比重に対して±５％以内）を有するカプセルを入れることによりお風呂の水中に浮遊させることもできるし、および／または、お湯の比重よりも大きな比重（たとえば、水の比重に対して＋５％超）を有するカプセルを入れてお風呂の底に沈めることもできるので、お風呂の湯中にカプセルを均一に分布することができ、効率的にお風呂の水の汚れを除去できる。また、マイナスイオン効果もあるトルマリン等の遠赤外線放射物質を用いれば、身体の直ぐ近くにカプセルが存在するので、プラスイオンが過剰となる生体電流のバランスを整えて健康増進や身体の活性化を図ることもできる。これらの比重を適宜変更した遠赤外線放射物質を内蔵したカプセルは、比重をそろえたものや比重を種々変更したものを混合したものを、その目的や効果に応じて用いると良い。たとえば、水の比重より軽いカプセルを用いる場合は、表面付近の水質を浄化し、上半身や顔、頭の健康増進に効果がある。水の比重と同程度のカプセルを用いる場合は、水全体の水質を浄化し、お湯につかっている身体の部分（たとえば、足〜首）の健康増進に効果がある。水の比重より大きいカプセルを用いる場合は、水底の水質を浄化し、足底や足の健康増進に効果がある。
【００２２】
本発明の遠赤外線放射物質を内蔵したカプセルは、たとえば以下のプロセスで作製することができる。カプセル容器がプラスチックである場合、カプセル容器状の半割りの成形型に溶融またはゲル状のプラスチックを流し込んで固化して、半割り状のカプセル容器を作製する。そこに粉末状や粒状や塊状の遠赤外線放射物質を所定量（所定の空間が形成される量）入れる。必要があればバインダー、増量剤や安定化剤等と遠赤外線放射物質とを混ぜ込んだものを入れることもできる。この後、別の半割り状カプセル容器を上下で合わせて加熱して結合させて、遠赤外線放射物質をカプセル容器内に密封、封入し、遠赤外線放射物質を内蔵したカプセルが作製される。上下の半割り状カプセル容器を結合させるとき、空間内に封入する気体と同じ雰囲気の状態で封入させることによって、空間を気体で満たすことができる。その封入時の圧力によって、カプセル容器内の圧力を調節でき、１気圧より高くしたり、1気圧にしたり、１気圧より低い圧力に封入することもできる。高真空状態で封止すればカプセル容器内を真空に近い圧力にすることもできる。また、成形型の形状およびサイズにより、球形状、卵型形状、楕円体形状、円筒形状、円柱形状、直方体形状、立法体形状、多角柱形状、角部や底部が丸まった多角柱形状、底部が丸まった円柱形状等種々の形状およびサイズのカプセルを作製できる。サイズに関しては、お風呂、水槽、プール、湖沼等で用いる場合は、それぞれの大きさに応じた大きさにすれば良い。回収することを考慮すれば、フィルターの網目以上のサイズにする必要がある。また、浄化等の効率から考えれば、カプセルの大きさが小さいほど体積当たりの表面積が大きくなるので、小さいほど効率が良い。たとえば、お風呂、水槽、プールで使用する場合は、５ｍｍ〜５０ｍｍ、湖沼で使用する場合は、５０ｍｍ〜３００ｍｍ程度が良い。
【００２３】
図４は、本発明の遠赤外線放射物質を搭載したお風呂用遠赤外線放射浮体グッズ（お風呂用品）を示す図である。図４（ａ）に示すお風呂用遠赤外線放射浮体グッズ３０は、ドーナツ状（円環状）に作製した浮体物３１の空洞部分に遠赤外線放射物質をシリコーンや樹脂等のバインダーで固めたもの３２を取り付けたものである。裏側も同様の形状であり、お風呂に浮かせたときにお湯（水）と接触するようになっている。遠赤外線放射物質等３２が直接水と接触して、たとえば溶出や欠け等が問題になる場合は、ポリエチレンフィルムやＰＥＴ（ポリエチレンテレフタレート）等のプラスチックフィルムで遠赤外線放射物質等３２の表面をカバーすれば良い。浮体物３１は発泡スチロールのような水より軽い材料で構成される。あるいは、浮き輪のように空気等を入れて膨らませて浮かせても良い。すなわち、このお風呂用遠赤外線放射浮体グッズは、比重が１より小さい物質と遠赤外線放射物質およびその他の付帯物を一体化させたもので、かつ全体の比重が１より小さくお風呂の水に浮くようにしたものである。たとえば、比重が１より小さい浮体物の体積をＶｆ、重量をＭｆ、比重をＳｆとしたとき、Ｓｆ＝Ｍｆ／Ｖｆ＜１であり、浮体物以外のもの（遠赤外線放射物質を含む）の重量をＭａ、体積をＶａ、これらを一体化したお風呂用遠赤外線放射浮体グッズの重量をＭｂ、体積をＶｂ、比重をＳｂとしたとき、Ｓｂ＝Ｍｂ／Ｖｂ＝（Ｍｆ＋Ｍａ）／（Ｖｆ＋Ｖａ）＜１である。（ただし、一体化したとき、Ｍｂ＝Ｍｆ＋Ｍａ、Ｖｂ＝Ｖｆ＋Ｖａが成立するものとした。）
【００２４】
これも上記カプセルと同様に、水を浄化させ風呂水等の汚れを減少させ、遠赤外線放射物質からの放射される遠赤外線を当てた水蒸気により風呂場のカビ防止の役割も果たす。マイナスイオン効果もあるトルマリン等の遠赤外線放射物質を用いれば、プラスイオンが過剰となる生体電流のバランスを整えて健康増進を図ることもできる。すなわち、健康増進と水の浄化を同時に実現することができる。図４（ｂ）に示すお風呂用遠赤外線放射浮体グッズ３３は、図４（ａ）に示すお風呂用遠赤外線放射浮体グッズ３０の上に造花３４を付けたものである。このようなお風呂用遠赤外線放射浮体グッズ３３を使用することによって、健康に良く、風呂場を汚さない、楽しいお風呂を楽しむ事が出来る。
【００２５】
遠赤外線放射物質を直接水に入れる場合は、粉末状の遠赤外線放射物質を水にそのまま入れると、浄化後の水から粉末状の遠赤外線放射物質を分離除去することがむずかしくなる。そこで、シリコーン樹脂等のバインダー（結合剤）を粉末状の遠赤外線放射物質と混合させて粒状または塊状にした混合物を水に入れて浄化して、飲料水に使用したり水質改善を行なう水処理装置では、水中に長時間置いておくと、その混合物の回りに水垢やゴミ、汚れが付着し、放射される遠赤外線が遮られて水の浄化能力が落ちてくる。これを防止するために、遠赤外線放射物質を含む混合物を適宜水中から取り出して洗浄して、付着した水垢やゴミ、汚れを落とすという方法があるが、手間がかかるとともに水中から混合物を取り出している間は水の浄化が行なわれないので、効率も悪く実用的ではない。そこで、水処理装置に空気導入用のポンプを付設して、このポンプを用いて水に空気を送るとともに水を循環させる。この結果、混合物に汚れやゴミ等の付着を防止できる。また、混合物を入れている限り水の浄化能力が維持され、効率良く遠赤外線を水に作用させることが可能となる。
【００２６】
図５は、本発明の遠赤外線放射物質を含有したシートを示す図である。図５（ａ）で示すシート４１は、粉末状等の遠赤外線放射物質をシリコーン樹脂やエポキシ樹脂等のバインダーと混ぜ合わせてシート状にしたものである。あるいは、通気性、保温性の良い布やコルクシート等に遠赤外線放射物質をバインダーや粘着剤とともに塗布または含浸させても良い。この遠赤外線放射物質含有シートを肌に接触させると血液に作用し、体温が上昇する。某病院の臨床実験によると２分で体温が１度上昇することが分かっている。そのため足のふくらはぎその他の筋肉痙攣時にこのシートを患部に当てると数分以内に痛みから解放される。痙攣の危険性がある場合、例えば、長時間運転時のすねの筋肉痙攣防止には、靴下の下などに、あらかじめ当てておくと、痙攣を防止する事が出来る。また、筋肉痛、腰痛、四十肩等に患部に当てて使用することによって、症状を和らげ改善または解消することができる。同様の目的で使用する従来の市販の湿布材は一度使用すれば、再度使う事は出来ないが、本発明のシートは半永久的に使用可能であるから、トータルコストで大きなメリットがある。
【００２７】
さらに、この遠赤外線放射物質含有シートは体温を上げる効果がある。たとえば、体温が１度上昇すると免疫力が３０％以上向上すると言われている。そこで、この遠赤外線放射物質含有シートを腹部に当てると直接腸を暖める事になり、便秘や腸の調子その他に効果がある。この場合、シートの厚さを厚くし熱容量を大にして腹部に当てる事で、体温を上昇させ、体調を整える事が長時間可能となるので、症状の改善が早くなる。腹巻きに本発明の遠赤外線放射物質含有シートを適用することもでき、腹巻きの前面側に本シートを付けて腹部に当て、腹巻きの背面側にも腰痛用に本シートを付けて腰部に当てる事で、腸にも腰にも良い腹巻きを構成できる。手袋や帽子、靴の下敷きにすれば、冬場の防寒グッズとしても使える。マイナスイオン効果もあるトルマリン等の遠赤外線放射物質を用いれば、プラスイオンが過剰となる生体電流のバランスを整えて健康増進を図ることもできる。
【００２８】
図８は、本発明の遠赤外線放射物質含有シートを患者に適用した臨床実験による本発明の遠赤外線放射物質含有シートの効果を示す表である。図８（ａ）は症状の評価データ（臨床実験結果）である。骨粗鬆症で腰痛の患者５名、膝関節症の患者４名、頸部ねんざの患者１名に対して、その患者の患部に本発明の遠赤外線放射物質含有シートを湿布として当てて、患者の症状の経過を見たものである。顕著な効果と有効を合わせた効果有りの患者は５０％（５人）で、やや有効（３人）を合わせると８０％の患者の症状が改善し、本発明の遠赤外線放射物質含有シートは、腰痛、膝関節症、および頸部ねんざに対して優れた改善効果を示す。また、悪化した人は０％であったので、本発明の遠赤外線放射物質含有シートは患者の身体に対して全く悪影響がないことが分かった。図８（ｂ）は、遠赤外線放射物質含有シートを当てた患部の皮膚表面の温度を調べた結果である。図９は、この患部全体の皮膚表面温度（平均値）と湿布時間との関係を示すグラフである。遠赤外線放射物質含有シートを当てると短時間で患部の温度が上がり、３日以上温度が上がった状態を持続できる。また時間経過とともに遠赤外線放射物質含有シートを当てた部分の周囲の温度も上昇していた。さらに、患者によっては１２０秒という短時間で１°Ｃ以上上がる場合もあった。本発明の遠赤外線放射物質含有シートを当てることによって、患者の患部が１°Ｃ以上保温されて治療効果が上がると考えられる。
【００２９】
さらに、本発明の遠赤外線放射物質含有シートは便秘解消に効果を示すことが分かっているので、たとえば、本発明の遠赤外線放射物質含有シートを身体の背面の腰部分と身体の前面の腹部分に当たるようなベルト（腰腹巻き用ベルト）を作製すれば、腸の調子と腰痛症状改善の両方に効果を及ぼすことができる。その装着部分は、身体の背面の腰部分と身体の前面の腹部分の少なくとも２箇所に分かれていても良いし、身体の背面の腰部分と身体の前面の腹部分が連続してつながり連続した遠赤外線放射物質含有シートを腰および腹の周り全体に当たるようにしても良いし、あるいは、その他の部分にも分割して装着できるようにしても良い。前記の腰腹巻き用ベルトの腰部分と腹部分を袋状に二重にして、その袋状の部分に本発明の遠赤外線放射物質含有シートを入れ込むようにすれば、出し入れが簡単で装着しやすい。あるいは、腰腹巻き用ベルトの腰部分と腹部分の内側（身体側）に面ファスナーを用いて、遠赤外線放射物質含有シートをその面ファスナーに付着できるようにしても、装着が簡単であり、しかも患部に直接遠赤外線放射物質含有シートを当てることができる。
【００３０】
さらに、遠赤外線放射物質含有シートは血液の循環を良くする効果があるので、このシートを図５（ｂ）に示すようなマスク状にして顔、首、頭等に適合するような形状にしたもの４２を作製し、それを当該部所に当てることによって、肌の艶を増し、皺を伸ばすなど、肌に良く、保温効果や美容効果を持たせる事が出来る。就寝時に顔に当てて寝れば、マイナスイオンにより安眠効果もある。その他の身体の各部所、たとえば足首、膝、ひじ、もも、腕、肩等の身体の一部の形状に適合した形状にし、当該箇所に合わせて当接することによって、保温効果や美容効果を持たせる事も出来る。また、３Ｄプリンターを用いればその人に最適のマスクが製造できる。
【００３１】
尚、上記のように本発明のシートを皮膚に直接当てると、人によっては汗などによってかゆくなったり、湿疹が出来たりする場合がある。その事を防止するため、皮膚に接触するシートの片面に薄い布や薄いプラスチックシートを貼る、あるいはシートに複数の穴をあけるなどする事で、湿疹を防ぐ事が出来る。
【００３２】
本発明の別の実施形態として、遠赤外線放射物質を壁材に混合させる用途がある。日本建築では漆喰が身体に良く、漆喰の壁のある部屋で生活するとアレルギー等の病気も直ると言われている。このような漆喰等の壁材に粉末状、粒状、または塊状の遠赤外線放射物質を混合させて使用することによって、部屋の中に育成光線とマイナスイオンが充満し、健康に良い家を造る事が出来る。また、カビが発生しにくくなる利点もある。
【００３３】
以上遠赤外線放射物質の種々の適用方法を詳細に説明したが、明細書のある部分に記載し説明した内容について記載しなかった他の部分においても矛盾なく適用できることに関しては、当該他の部分に当該内容を適用できることは言うまでもない。さらに、前記実施形態は一例であり、要旨を逸脱しない範囲内で種々変更して実施でき、本発明の権利範囲が前記実施形態に限定されないことも言うまでもない。
【産業上の利用可能性】
【００３４】
上述した以外にも、本発明は、生活排水槽や下水道の浄化など、様々な水や液体の浄化や魚エビなど海産物の養殖にも用いることができる。また、本発明は、温泉でも使用でき、温泉の効果をさらに高めることができる。また、水浄化などで一般に使われている逆浸透膜は長期間使用すると目詰まりを起こすので、水を細かくする遠赤外線放射物質を入れる事で、目詰まりを防止し逆浸透膜の寿命を長くし、コスト削減させる事が出来る。
【符号の説明】
【００３５】
１１・・・カプセル、１２・・・カプセル容器壁、１３・・・内容物質、
１４・・・空間、２１・・・浄化漕、２３・・・カプセル、２４・・・液体、
３０・・・風呂用遠赤外線放射浮体グッズ、３１・・・浮体物、
３２・・・遠赤外線放射物質、３３・・・風呂用遠赤外線放射浮体グッズ、
３４・・・造花、４１・・・遠赤外線放射物質含有シート、４２・・・マスク、
５１・・・カプセル容器、５２・・・窪み、
【図１】
2016121328.tif 000003
【図２】
2016121328.tif 000004
【図３】
2016121328.tif 000005
【図４】
2016121328.tif 000006
【図５】
2016121328.tif 000007
【図６】
2016121328.tif 000008
【図７】
2016121328.tif 000009
【図８】
2016121328.tif 000010
【図９】
2016121328.tif 000011